(57)【要約】【目的】  重畳データを確実に放送波から抽出することができる放送受信装置を提供する。【構成】  未使用時（真夜中等のテレビＯＦＦ時）における重畳データ自動受信更新処理では、マイコン５は規定よりもαだけ高めにずらしたローカル周波数（例えば、２３５．１５＋αＭＨｚ）を発生させる。重畳データ自動受信更新処理では、ＡＦＴは動作させない。このときのＩＦ段ＳＡＷ出力波形においては、高域のビデオ周波数特性（ｆ特）が持ち上がってシュート気味の波形となる。従って、中間周波数信号において高い出力レベルが得られる位置に重畳データ信号が含まれる周波数部分をシフトさせることができる。これにより、デコード回路４で正確に重畳データを抜き取ることが可能となる。【選択図】        図１
2005333592.tif 000002
【特許請求の範囲】
【請求項１】
受信したＴＶ放送信号の映像ブランキング期間に重畳されている重畳データを抽出することができる放送受信装置において、前記重畳データの抽出を目的として所定チャンネルのＴＶ放送信号を受信するときに前記所定チャンネルの中間周波数信号を生成するためのローカル周波数をずらすように制御する制御手段を備えたことを特徴とする放送受信装置。
【請求項２】
請求項１に記載の放送受信装置において、オートファインチューニング処理手段を備えると共に、前記重畳データの抽出を目的として所定チャンネルのＴＶ放送信号を受信するときに前記制御手段は前記オートファインチューニング機能をＯＦＦにすることを特徴とする放送受信装置。
【請求項３】
請求項１又は請求項２に記載の放送受信装置において、データが異なるビットレートで重畳された複数のＴＶ放送信号が同一地域に混在することに対応すべく、ローカル周波数のずらし幅を、重畳されたビットレートに応じて変更するように構成されていることを特徴とする放送受信装置。
【請求項４】
受信したＴＶ放送信号の映像ブランキング期間に重畳されている重畳データを抽出することができる放送受信装置において、ＴＶ放送信号を受信して得られた中間周波数信号を映像音声生成系の他に重畳データ専用の生成系に導くように構成されたことを特徴とする放送受信装置。
【請求項５】
請求項４に記載の放送受信装置において、前記重畳データ専用の生成系の入力段に、重畳データの抽出に適したフィルタ特性を有するフィルタを備えたことを特徴とする放送受信装置。
【請求項６】
請求項４又は請求項５に記載の放送受信装置において、同一の筐体の中に、映像及び／又は音声用のフィルタと重畳データ専用のフィルタとが収容されていることを特徴とする放送受信装置。
【請求項７】
請求項４乃至請求項６のいずれかに記載の放送受信装置において、データが異なるビットレートで重畳された複数のＴＶ放送信号が同一地域に混在することに対応すべく、重畳データ専用のフィルタの特性が切り替えられるように構成されていることを特徴とする放送受信装置。
【発明の詳細な説明】
【技術分野】
【０００１】
受信したＴＶ放送信号の映像ブランキング期間に重畳されている重畳データを抽出することができる放送受信装置に関する。
【背景技術】
【０００２】
ＴＶ（テレビジョン）放送信号の映像ブランキング期間に高いビットレートでデータ（時間、文字、番組データ等）を重畳する方式（ＰＤＣ、ＶＰＳ、ＥＤＳ、ＴＥＬＥＴＥＸＴ、文字放送、ＥＰＧ等）が各国において採用されている。そして、このようなＴＶ放送信号を受信する受信装置においては、受信したＴＶ放送信号から分離した前記データを、自動時刻修正（特許文献１参照）や番組録画予約（特許文献２参照）等に利用している。通常、真夜中などのテレビＯＦＦ時に受信装置が自動ＯＮし（映像表示は行わない：疑似電源ＯＮ状態）、ＴＶ放送信号を自動受信して、新たに取得したデータに基づいて保存データの更新を行う。
【０００３】
例えば、ＰＤＣでは重畳されているデータのビットレートは、６．９３７５Ｍｂｉｔ／ｓであり、ＶＰＳでは５Ｍｂｉｔ／ｓである。データを正確に受信するためには、高い周波数まで特性の良い放送受信装置が必要となる。
【０００４】
従来の放送受信装置を、実施形態１で用いる図１及び図２を参考にして説明していく。マイコンは、ＥＥＰＲＯＭに格納されている選局データに基づいて、ＰＬＬ選局回路にローカル周波数（例えば、２３５．１５ＭＨｚ）を発生させる。アンテナから入力されたＴＶ放送信号（Ｅ８ｃｈ：映像搬送波１９６．２５ＭＨｚ  音声搬送波２０１．７５ＭＨｚ）は、チューナ回路によって、ＩＦ周波数（ＰＩＦ：２３５．１５ＭＨｚ−１９６．２５ＭＨｚ＝３８．９ＭＨｚ  ＳＩＦ：２３５．１５ＭＨｚ−２０１．７５ＭＨｚ＝３３．４ＭＨｚ）に変換され、ＩＦ回路に入力される。ＡＦＴ（オートファインチューニング）回路からＡＦＴ出力信号をマイコンに出力し、受信周波数がセンターになるように、周波数を自動的に微調整（ＡＦＴ＝ＯＮ動作）する。
【０００５】
ＩＦ回路の詳細構成図は図２に示す通りである。チューナ回路から出力されたＩＦ信号は、映像音声ＳＡＷ（表面弾性波）フィルタに入力される。その後、映像ＩＦ信号は、ＩＦ増幅回路及びＩＦ検波回路を通り、更に音声トラップを通ることによってデータ情報信号を含んだ映像信号となる。音声ＩＦ信号は、音声ＢＰＦ、ＦＭ検波回路、リミッタ回路を通ることで音声出力となる。
【特許文献１】特開平９―４４９３３号公報
【特許文献２】特許第３０２６６８６号
【発明の開示】
【発明が解決しようとする課題】
【０００６】
図７（ａ）は従来のＩＦ回路から出力される波形（ＩＦ段ＳＡＷ出力特性波形）を示しており、同図（ｂ）は垂直ブランキング期間に重畳されているデータの波形を示している。また、図８は、映像音声周波数に対するＰＤＣの周波数位置関係を示した説明図である。放送受信装置の映像出力は、ＳＡＷフィルタの特性や音声トラップ、隣接ＣＨトラップなどにより、周波数の高い側では周波数特性が下がり、更に位相歪みも悪化している。また、放送受信装置は、映像や音声を出力することが基本機能であるため、ＡＦＴをＯＮにして重畳データを抜き取っている。このため、受信されたデータ信号の出力波形は、元々ばらつきの多い受信装置の特性に依存して、大きくばらつき、データ波形は小さくなり且つ鈍るため、正しくデコードできない場合が多い。従って、同じデータを数回取ることで内容の一致を確かめるなど、非常に時間がかかっていた。
【０００７】
この発明は、上記の事情に鑑み、重畳データを確実にＴＶ放送信号から抽出することができる放送受信装置を提供することを目的とする。
【課題を解決するための手段】
【０００８】
この発明の放送受信装置は、上記の課題を解決するために、受信したＴＶ放送信号の映像ブランキング期間に重畳されている重畳データを抽出することができる放送受信装置において、前記重畳データの抽出を目的として所定チャンネルのＴＶ放送信号を受信するときに前記所定チャンネルの中間周波数信号を生成するためのローカル周波数をずらすように制御する制御手段を備えたことを特徴とする（以下、この項において第１構成という）。
【０００９】
上記の構成であれば、前記重畳データの抽出を目的として所定チャンネルのＴＶ放送信号を受信するときに、例えば、当該所定受信チャンネルのローカル周波数を意図的に高めにずらす。これにより、中間周波数信号（ＩＦ）の高域周波数特性が持ち上げられることになる。すなわち、中間周波数信号において高い出力レベルが得られる位置に重畳データ信号が含まれる周波数部分をシフトさせることができ、正確に重畳データを抜き取ることが可能となる。ローカル周波数を意図的にずらすと音声ビートが発生した映像が出力されるが、重畳データの抽出を目的として所定チャンネルのＴＶ放送信号を受信する処理は、利用者が未使用時の真夜中等に自動的に実施され、映像や音声の出力は必要ないため、全く問題とならない。
【００１０】
上記第１構成の放送受信装置において、オートファインチューニング処理手段を備えると共に、前記重畳データの抽出を目的として所定チャンネルのＴＶ放送信号を受信するときに前記制御手段は前記オートファインチューニング機能をＯＦＦにするのがよい。また、第１構成又はこれに従属する構成において、データが異なるビットレートで重畳された複数のＴＶ放送信号が同一地域に混在することに対応すべく、ローカル周波数のずらし幅を、重畳されたビットレートに応じて変更するように構成されているのがよい。
【００１１】
また、この発明の放送受信装置は、受信したＴＶ放送信号の映像ブランキング期間に重畳されている重畳データを抽出することができる放送受信装置において、ＴＶ放送信号を受信して得られた中間周波数信号を映像音声生成系の他に重畳データ専用の生成系に導くように構成されたことを特徴とする（以下、この項において第２構成という）。
【００１２】
第２構成において、前記重畳データ専用の生成系の入力段に、重畳データの抽出に適したフィルタ特性を有するフィルタを備えてもよい。また、同一の筐体の中に、映像及び／又は音声用のフィルタと重畳データ専用のフィルタとが収容されていてもよい。また、データが異なるビットレートで重畳された複数のＴＶ放送信号が同一地域に混在することに対応すべく、重畳データ専用のフィルタの特性が切り替えられるように構成されていてもよい。
【発明の効果】
【００１３】
重畳データ信号を取り出すことを目的とした放送受信に際してローカル周波数をずらす構成であれば、既存構成を全く変更することなく、選局ソフトウェアの変更のみで、垂直ブランキング期間に重畳されたデータを受信装置の特性に依存することなく正確に取得することが可能となる。また、データ取得専用の端子を設ける構成であれば、既存の選局ソフトウェアを変更することなく、ＩＦ回路構成を変更することで、垂直ブランキング期間に重畳されたデータを、受信機の特性に依存することなく且つ映像出力に支障を来すことなく、正確に取得することが可能となる。
【発明を実施するための最良の形態】
【００１４】
（実施形態１）
以下、この発明の実施形態１におけるアナログ放送受信装置を図１乃至図４に基づいて説明する。
【００１５】
図１に示すように、チューナ回路１はＰＬＬ選局回路１ａ等を備えて成る。ＰＬＬ選局回路１ａは、希望チャンネルの信号（放送波）と局部発振信号とを混合して中間周波数信号（ＩＦ）を生成するものであり、ＩＣ回路化されている。局部発振信号は例えばＰＬＬシンセサイザーから出力される。ＰＬＬシンセサイザーは、混合器（ミキサ）から所定の中間周波数信号が生成されるように、希望チャンネルの信号に対応させて変化させた局部発振信号を生成する。希望チャンネルの選局情報（ＳＤＡ）やクロック（ＳＣＬ）はマイコン（マイクロコンピュータ）５から与えられる。
【００１６】
ＩＦ（中間周波数）回路２は、信号増幅回路、ＡＧＣ回路、ＡＦＴ（オートファインチューニング）回路２ａ等を備える。ＡＦＴ回路２ａは映像中間周波数が所定周波数を維持するようにＰＬＬ選局回路１ａに局部発振周波数の調整信号（ＡＦＴアップリクエスト信号／ＡＦＴダウンリクエスト信号）を与える。
【００１７】
映像処理回路３は復調によって映像信号（色差信号等）や重畳データ信号を生成する。重畳データ信号はデコード回路４にてデコードされて各種データとなり、各種データはマイコン５に与えられる。マイコン５は、新しく取得した各種データを用いて不揮発性メモリ（例えば、ＥＥＰＲＯＭ等）６内の保存済みデータの更新処理を行ったり、データ情報表示部７に修正情報を送出したりする。
【００１８】
また、図２に示しているように、チューナ回路１から出力されたＩＦ信号は、映像音声ＳＡＷフィルタ１１に入力される。その後、映像ＩＦ信号は、ＩＦ増幅回路１２及びＩＦ検波回路１３を通り、更に音声トラップ１４を通ることによって重畳データを含んだ映像信号となる。音声ＩＦ信号は、音声ＢＰＦ（バンドパスフィルタ）１５、ＦＭ検波回路（リミッタ回路）１６を通ることで音声出力となる。
【００１９】
この実施形態のアナログ放送受信装置においては、重畳データ信号を取り出すことを目的とした放送受信に際して以下に示すごとく処理を行うことに特徴がある。以下では、ＶＰＳとＰＤＣの両方に対応した処理例を示す。
【００２０】
未使用時（真夜中等のテレビＯＦＦ時）における重畳データ自動受信更新処理では、マイコン５は規定よりも高めにずらしたローカル周波数（例えば、Ｅ８ｃｈでは２３５．１５＋αＭＨｚ）を発生させる。この場合、Ｅ８ｃｈ（映像搬送波１９６．２５ＭＨｚ  音声搬送波２０１．７５ＭＨｚ）の受信信号は、チューナ回路１で中間周波数（ＰＩＦ：３８．９＋αＭＨｚ、ＳＩＦ：３３．４＋αＭＨｚ）に変換されてＩＦ回路２に入力されることになる。重畳データ自動受信更新処理では、ＡＦＴは動作させない。例えば、マイコン５は重畳データ自動受信更新処理を実行するときにはＩＩＣバス等を用いてＡＴＦ回路２ａにＯＦＦ指令を与える。
【００２１】
このときのＩＦ段ＳＡＷ出力波形を図４（ａ）に示し、垂直ブランキング重畳データの波形を同図（ｂ）に示す。この図から分かるように、高域のビデオ周波数特性（ｆ特）が持ち上がってシュート気味の波形となる。従って、中間周波数信号において高い出力レベルが得られる位置に重畳データ信号が含まれる周波数部分をシフトさせることができる。これにより、デコード回路４で正確に重畳データを抜き取ることが可能となる。
【００２２】
図３は、重畳データ自動受信更新処理例を示したフローチャートである。自動更新時間（例えば、ＡＭ０時）になると（ステップＳ１でＹＥＳ）、電源ＯＦＦ状態（ユーザが受信装置を使用していない状態）であるかどうかを確認する（ステップＳ２）。電源がＯＮであるときには処理を終了し、ＯＦＦであるときには、自動更新状態に入り、疑似電源ＯＮ状態とする（ステップＳ３）。そして、重畳データが存在するチャンネルを選局し、ＡＦＴをＯＦＦとする（ステップＳ４）。
【００２３】
欧州のように、データが異なるビットレートで重畳された複数のＴＶ放送信号が同一地域に混在することに対応すべく（例えば、ＶＰＳとＰＤＣが混在）、重畳されたビットレートに応じてローカル周波数のずらし幅を変えても良い。例えば、ＶＰＳの場合には、映像周波数２．５ＭＨｚのｆ特が上がるようにαＭＨｚ（０＜α≦２．５ＭＨｚ）ずらして選局する（ステップＳ６）。一方、ＰＤＣの場合には、３．５ＭＨｚのｆ特が上がるようにβＭＨｚ（０＜β≦３．５ＭＨｚ）ずらして選局し（ステップＳ７）、データ取得を行う（ステップＳ８）。なお、データ重畳の方式としてどの方式が採用されているかは、予め保持しておくこととしてもよいし、受信した重畳データから知ることもできる。次に、データ更新が完了したかを確認し（ステップＳ９）、更新が完了していない場合にはステップＳ５に戻り、データ更新済みであるときにはローカル周波数を基本周波数に戻し、ＡＦＴをＯＮにして（ステップＳ１０）、自動データ取得を終了する。
【００２４】
（実施形態２）
以下、この発明の実施形態２におけるアナログ放送受信装置を図５及び図６に基づいて説明する。
【００２５】
この実施形態のアナログ放送受信装置は、図５に示すように、チューナ回路１の出力（ＩＦ回路出力）に、映像出力及び音声出力とは別に、データ専用出力端子２０を設けている。そして、この出力端子２０には、映像ブランキング期間に重畳されたデータの抽出に特化された専用のＳＡＷフィルタ２１を設けている。チューナ回路１から出力されたＩＦ信号は、映像音声用ＳＡＷフィルタ１１とデータ用ＳＡＷフィルタ２１に入力される。データ用ＳＡＷフィルタ２１を通過したＩＦ信号はデータ増幅回路２２及びデータ検波回路２３を順次通って出力される。
【００２６】
データ出力専用ＳＡＷフィルタ２１の出力特性波形を図６（ａ）に示す。映像音声出力ＳＡＷフィルタ１１とは別に設けられているため、デコード回路４で正確に重畳データを抽出できるように、ＳＡＷ出力特性を決定することができる。垂直ブランキング重畳データの波形を図６（ｂ）に示す。中間周波数信号中の重畳データ信号が含まれる周波数部分に対して高い通過特性を持つようにＳＡＷ出力特性を決定すればよい。なお、ここで示しているＳＡＷ出力特性では、水平同期信号等を残すことができるように設定しているが、映像音声出力系から水平同期信号等が得られるように構成するときには、他のＳＡＷ出力特性を選ぶことができる。
【００２７】
このように、データ専用出力端子２０を設けたことにより、重畳データ取出専用の中間周波数信号（データ専用ＳＡＷ出力）においては、音声トラップや隣接ＣＨトラップ等の影響を受けないで済むことになる。また、データ専用ＳＡＷ出力は、高い周波数にまで周波数特性を伸ばし、更に位相歪みも良好にすることができる。また、映像や音声の出力とは別であるため、実施形態１のごとくＡＦＴ動作をＯＦＦにする必要はなく、良好な映像出力を維持しつつデータ取得が可能となる。
【００２８】
なお、映像音声用ＳＡＷフィルタ１１を設ける構成（インターキャリア方式）に代えて、映像専用ＳＡＷフィルタと音声専用ＳＡＷフィルタをそれぞれ設ける構成（スプリットキャリア方式）を採用してもよい。また、映像専用ＳＡＷフィルタと音声専用ＳＡＷフィルタとを同一の筐体内に収容する構成が知られているが、これと同様に、データ出力専用ＳＡＷフィルタ２１を他のＳＡＷフィルタと同一の筐体内に収容する構成を採用してもよい。
【００２９】
また、データ出力専用ＳＡＷフィルタ２１に代えて、データ出力専用のバンドパスフィルタを用いる構成としてもよい。また、実施形態１で述べたごとく、異なるビットレートで重畳されたデータ情報が混在する場合は、重畳されたビットレートに応じて、データ専用のフィルタ特性を切り換える構成（コイルやコンデンサの接続・離脱機構等）を採用してもよいものである。
【図面の簡単な説明】
【００３０】
【図１】この発明の実施形態の放送受信装置を示したブロック図である。
【図２】図１のＩＦ回路の詳細構成図である。
【図３】この発明の実施形態の処理内容を示したフローチャートである。
【図４】同図（ａ）は図１の構成におけるＩＦ段ＳＡＷ出力波形を示し、同図（ｂ）は垂直ブランキング重畳データの波形を示した説明図である。
【図５】この発明の実施形態のデータ専用のフィルタを有する構成の放送受信装置を示したブロック図である。
【図６】同図（ａ）は図５の構成におけるＩＦ段ＳＡＷ出力波形を示し、同図（ｂ）は垂直ブランキング重畳データの波形を示した説明図である。
【図７】同図（ａ）は従来構成におけるＩＦ段ＳＡＷ出力波形を示し、同図（ｂ）は垂直ブランキング重畳データの波形を示した説明図である。
【図８】映像音声周波数に対するＰＤＣの周波数位置関係を示した説明図である。
【符号の説明】
【００３１】
１    チューナ回路
１ａ  ＰＬＬ選局回路
２    中間周波数回路
２ａ  ＡＦＴ回路
５    マイコン
２１  データ専用ＳＡＷフィルタ
【図１】
2005333592.tif 000003
【図２】
2005333592.tif 000004
【図３】
2005333592.tif 000005
【図４】
2005333592.tif 000006
【図５】
2005333592.tif 000007
【図６】
2005333592.tif 000008
【図７】
2005333592.tif 000009
【図８】
2005333592.tif 000010